【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
ステイプル機能を備えた印刷装置と、該印刷装置に接続する情報処理装置とから構成される文書処理システムであって、
複数の部分で構成される文書の１つ以上の部分が前記印刷装置によりステイプルされることを指示する部分ステイプル指示を設定するための設定手段であって、前記設定手段は、前記文書が分割された複数の部分の各々に対してステイプルを行うか否かを個別に設定する設定手段と、
前記設定手段により設定された部分ステイプル指示に応じて、各部分をステイプルするための前記部分ステイプル指示を含む印刷データを生成する生成手段と、
前記生成された印刷データに基づき、前記部分ステイプル指示に従いステイプルすべき文書のそれぞれの部分に対してステイプルを施すステイプル手段とを有し、
前記生成手段は、複数の部分印刷データから構成される印刷データを生成し、
各部分印刷データは、ステイプルする部分を示す部分印刷属性情報を含むことを特徴とする文書処理システム。
【請求項２】
前記設定手段は、ユーザインタフェース画面を含み、該ユーザインタフェース画面からユーザによって設定されることを特徴とする請求項１に記載の文書処理システム。
【請求項３】
ステイプル機能を備えた印刷装置と、該印刷装置に接続する情報処理装置とから構成される文書処理システムであって、
文書全体に対してステイプルするか、前記文書の複数の部分の各々に対してステイプルするかを指定する指定手段と、
前記文書全体に対してステイプル指定された場合は１つのジョブとして前記文書の印刷データを生成し、また前記文書の複数の部分の各々に対してステイプル指定された場合はステイプル指定されたジョブとステイプル指定されていないジョブの複数のジョブとして印刷データを生成する生成手段と、
前記生成された印刷データに基づき、前記文書全体又は前記文書の複数の部分の各々に対してステイプルを施すステイプル手段とを有し、
前記生成手段は、前記文書の複数の部分の各々に対してステイプル指示された場合には複数の部分印刷データから構成される印刷データを生成し、
各部分印刷データは、ステイプルする部分を示す部分印刷属性情報を含むことを特徴とする文書処理システム。
【請求項４】
前記生成手段は、複数のジョブに対応するバインダーを生成し、複数のバインダーをジョブバインドして１つのジョブに構成することを特徴とする請求項３に記載の文書処理システム。
【請求項５】
ステイプル機能を備えた印刷装置に接続する情報処理装置であって、
複数の部分で構成される文書の１つ以上の部分が前記印刷装置によりステイプルされることを指示する部分ステイプル指示を設定するための設定手段であって、前記設定手段は、前記文書が分割された各部分に対してステイプルを行うかどうかを個別に設定する設定手段と、
前記設定手段により設定された部分ステイプル指示に応じて、各部分をステイプルするための前記部分ステイプル指示を含む印刷データを生成する生成手段とを有し、
前記生成手段は、複数の部分印刷データから構成される印刷データを生成し、
各部分印刷データは、ステイプルする部分を示す部分印刷属性情報を含むことを特徴とする情報処理装置。
【請求項６】
前記設定手段は、ユーザインタフェース画面を含み、該ユーザインタフェース画面からユーザによって設定されることを特徴とする請求項５に記載の情報処理装置。
【請求項７】
前記設定手段は、前記文書が分けられた複数の部分毎にステイプルするか否かを個別に設定することを特徴とする請求項５記載の情報処理装置。
【請求項８】
前記設定手段は、前記文書全体に対してステイプルする全体ステイプル指示と前記部分ステイプル指示とを切り替えて設定することを特徴とする請求項５記載の情報処理装置。
【請求項９】
前記情報処理装置は、前記文書を複数の章として管理し、
前記設定手段は、前記章単位でステイプルするかしないかを設定可能であることを特徴とする請求項５記載の情報処理装置。
【請求項１０】
前記設定手段により前記部分ステイプル指示が設定されている場合に、ステイプル属性が変更されるタイミングで、プリンタドライバに対して印刷設定の切り替えを指示する印刷設定指示手段を更に有することを特徴とする請求項５記載の情報処理装置。
【請求項１１】
ステイプル機能を備えた印刷装置に接続する情報処理装置であって、
文書全体に対してステイプルするか、前記文書の複数の部分の各々に対してステイプルするかを指定する指定手段と、
前記文書全体に対してステイプル指定された場合は１つのジョブとして前記文書の印刷データを生成し、また前記文書の複数の部分の各々に対してステイプル指定された場合はステイプル指定されたジョブとステイプル指定されていないジョブの複数のジョブとして印刷データを生成する生成手段とを有し、
前記生成手段は、前記文書の複数の部分の各々に対してステイプル指示された場合には複数の部分印刷データから構成される印刷データを生成し、
各部分印刷データは、ステイプルする部分を示す部分印刷属性情報を含むことを特徴とする情報処理装置。
【請求項１２】
前記生成手段は、複数のジョブに対応するバインダーを生成し、複数のバインダーをジョブバインドして１つのジョブに構成することを特徴とする請求項１１に記載の情報処理装置。
【請求項１３】
ステイプル機能を備えた印刷装置と、該印刷装置に接続する情報処理装置とから構成される文書処理システムの設定方法であって、
複数の部分で構成される文書の１つ以上の部分が前記印刷装置によりステイプルされることを指示する部分ステイプル指示を設定するための設定工程であって、前記設定工程は、前記文書が分割された複数の部分の各々に対してステイプルを行うか否かを個別に設定する設定工程と、
前記設定工程で設定された部分ステイプル指示に応じて、各部分をステイプルするための前記部分ステイプル指示を含む印刷データを生成する生成工程と、
前記生成された印刷データに基づき、前記部分ステイプル指示に従いステイプルすべき文書のそれぞれの部分に対してステイプルを施すステイプル工程とを有し、
前記生成工程は、複数の部分印刷データから構成される印刷データを生成し、
各部分印刷データは、ステイプルする部分を示す部分印刷属性情報を含むことを特徴とする文書処理システムの設定方法。
【請求項１４】
ステイプル機能を備えた印刷装置と、該印刷装置に接続する情報処理装置とから構成される文書処理システムの設定方法であって、
文書全体に対してステイプルするか、前記文書の複数の部分の各々に対してステイプルするかを指定する指定工程と、
前記文書全体に対してステイプル指定された場合は１つのジョブとして前記文書の印刷データを生成し、また前記文書の複数の部分の各々に対してステイプル指定された場合はステイプル指定されたジョブとステイプル指定されていないジョブの複数のジョブとして印刷データを生成する生成工程と、
前記生成された印刷データに基づき、前記文書全体又は前記文書の複数の部分の各々に対してステイプルを施すステイプル工程とを有し、
前記生成工程は、前記文書の複数の部分の各々に対してステイプル指示された場合には複数の部分印刷データから構成される印刷データを生成し、
各部分印刷データは、ステイプルする部分を示す部分印刷属性情報を含むことを特徴とする文書処理システムの設定方法。
【請求項１５】
ステイプル機能を備えた印刷装置に接続する情報処理装置の設定方法であって、
複数の部分で構成される文書の１つ以上の部分が前記印刷装置によりステイプルされることを指示する部分ステイプル指示を設定するための設定工程であって、前記設定工程は、前記文書が分割された複数の部分の各々に対してステイプルを行うか否かを個別に設定する設定工程と、
前記設定工程で設定された部分ステイプル指示に応じて、各部分をステイプルするための前記部分ステイプル指示を含む印刷データを生成する生成工程とを有し、
前記生成工程は、複数の部分印刷データから構成される印刷データを生成し、
各部分印刷データは、ステイプルする部分を示す部分印刷属性情報を含むことを特徴とする情報処理装置の設定方法。
【請求項１６】
前記設定工程は、前記文書が分けられた複数の部分毎にステイプルするか否かを個別に設定することを特徴とする請求項１５記載の情報処理装置の設定方法。
【請求項１７】
前記設定工程は、文書全体に対してステイプルする全体ステイプル指示と前記部分ステイプル指示とを切り替えて設定することを特徴とする請求項１５記載の情報処理装置の設定方法。
【請求項１８】
前記情報処理装置は、前記文書を複数の章として管理し、
前記設定工程は、前記章単位でステイプルするかしないかを設定可能であることを特徴とする請求項１５記載の情報処理装置の設定方法。
【請求項１９】
前記設定工程で前記部分ステイプル指示が設定されている場合に、ステイプル属性が変更されるタイミングで、プリンタドライバに対して印刷設定の切り替えを指示する印刷設定指示工程を更に有することを特徴とする請求項１５記載の情報処理装置の設定方法。
【請求項２０】
ステイプル機能を備えた印刷装置に接続する情報処理装置の設定方法であって、
文書全体に対してステイプルするか、前記文書の複数の部分の各々に対してステイプルするかを指定する指定工程と、
前記文書全体に対してステイプル指定された場合は１つのジョブとして前記文書の印刷データを生成し、また前記文書の複数の部分の各々に対してステイプル指定された場合はステイプル指定されたジョブとステイプル指定されていないジョブの複数のジョブとして印刷データを生成する生成工程とを有し、
前記生成工程は、前記文書の複数の部分の各々に対してステイプル指示された場合には複数の部分印刷データから構成される印刷データを生成し、
各部分印刷データは、ステイプルする部分を示す部分印刷属性情報を含むことを特徴とする情報処理装置の設定方法。
【請求項２１】
請求項１３記載の文書処理システムの設定方法をコンピュータに実行させるためのプログラム。
【請求項２２】
請求項１４記載の文書処理システムの設定方法をコンピュータに実行させるためのプログラム。
【請求項２３】
請求項１５記載の情報処理装置の設定方法をコンピュータに実行させるためのプログラム。
【請求項２４】
請求項２０記載の情報処理装置の設定方法をコンピュータに実行させるためのプログラム。
【請求項２５】
請求項２１記載のプログラムを記録したコンピュータ読み取り可能な記録媒体。
【請求項２６】
請求項２２記載のプログラムを記録したコンピュータ読み取り可能な記録媒体。
【請求項２７】
請求項２３記載のプログラムを記録したコンピュータ読み取り可能な記録媒体。
【請求項２８】
請求項２４記載のプログラムを記録したコンピュータ読み取り可能な記録媒体。
【手続補正２】
【補正対象書類名】明細書
【補正対象項目名】００１３
【補正方法】変更
【補正の内容】
【００１３】
【課題を解決するための手段】
上記目的を達成するために、本発明は、ステイプル機能を備えた印刷装置と、該印刷装置に接続する情報処理装置とから構成される文書処理システムであって、複数の部分で構成される文書の１つ以上の部分が前記印刷装置によりステイプルされることを指示する部分ステイプル指示を設定するための設定手段であって、前記設定手段は、前記文書が分割された複数の部分の各々に対してステイプルを行うか否かを個別に設定する設定手段と、前記設定手段により設定された部分ステイプル指示に応じて、各部分をステイプルするための前記部分ステイプル指示を含む印刷データを生成する生成手段と、前記生成された印刷データに基づき、前記部分ステイプル指示に従いステイプルすべき文書のそれぞれの部分に対してステイプルを施すステイプル手段とを有し、前記生成手段は、複数の部分印刷データから構成される印刷データを生成し、各部分印刷データは、ステイプルする部分を示す部分印刷属性情報を含むことを特徴とする。
【手続補正３】
【補正対象書類名】明細書
【補正対象項目名】００１４
【補正方法】変更
【補正の内容】
【００１４】
また、本発明は、ステイプル機能を備えた印刷装置と、該印刷装置に接続する情報処理装置とから構成される文書処理システムであって、文書全体に対してステイプルするか、前記文書の複数の部分の各々に対してステイプルするかを指定する指定手段と、前記文書全体に対してステイプル指定された場合は１つのジョブとして前記文書の印刷データを生成し、また前記文書の複数の部分の各々に対してステイプル指定された場合はステイプル指定されたジョブとステイプル指定されていないジョブの複数のジョブとして印刷データを生成する生成手段と、前記生成された印刷データに基づき、前記文書全体又は前記文書の複数の部分の各々に対してステイプルを施すステイプル手段とを有し、前記生成手段は、前記文書の複数の部分の各々に対してステイプル指示された場合には複数の部分印刷データから構成される印刷データを生成し、各部分印刷データは、ステイプルする部分を示す部分印刷属性情報を含むことを特徴とする。
【手続補正４】
【補正対象書類名】明細書
【補正対象項目名】００１５
【補正方法】変更
【補正の内容】
【００１５】
更に、本発明は、ステイプル機能を備えた印刷装置に接続する情報処理装置であって、複数の部分で構成される文書の１つ以上の部分が前記印刷装置によりステイプルされることを指示する部分ステイプル指示を設定するための設定手段であって、前記設定手段は、前記文書が分割された複数の部分の各々に対してステイプルを行うか否かを個別に設定する設定手段と、前記設定手段により設定された部分ステイプル指示に応じて、各部分をステイプルするための前記部分ステイプル指示を含む印刷データを生成する生成手段とを有し、前記生成手段は、複数の部分印刷データから構成される印刷データを生成し、各部分印刷データは、ステイプルする部分を示す部分印刷属性情報を含むことを特徴とする。
【手続補正５】
【補正対象書類名】明細書
【補正対象項目名】００１６
【補正方法】変更
【補正の内容】
【００１６】
更に、本発明は、ステイプル機能を備えた印刷装置に接続する情報処理装置であって、文書全体に対してステイプルするか、前記文書の複数の部分の各々に対してステイプルするかを指定する指定手段と、前記文書全体に対してステイプル指定された場合は１つのジョブとして前記文書の印刷データを生成し、また前記文書の複数の部分の各々に対してステイプル指定された場合はステイプル指定されたジョブとステイプル指定されていないジョブの複数のジョブとして印刷データを生成する生成手段とを有し、前記生成手段は、前記文書の複数の部分の各々に対してステイプル指示された場合には複数の部分印刷データから構成される印刷データを生成し、各部分印刷データは、ステイプルする部分を示す部分印刷属性情報を含むことを特徴とする。